(57)【要約】【課題】読取済みの原稿を原稿排出台から容易に取り出すことが可能な原稿読取装置を提供する。【解決手段】原稿載置台４は、主原稿載置台４１と補助原稿載置台４２とを備える。補助原稿載置台４２は平板状に形成されており、両側部の、原稿搬送方向の前側に摺動凸部４２１、４２１を有している。主原稿載置台４１は、その内部に補助原稿載置台４２の平板状部分を収容すべく、原稿搬送方向の後側に対応する側面が開放された略箱状に形成されている。また、主原稿載置台４１の両側面には、原稿搬送方向に延びる溝状の摺動孔４１１、４１１が設けられている。主原稿載置台４１の摺動孔４１１、４１１に補助原稿載置台４２の摺動凸部４２１、４２１が挿通されることにより、補助原稿載置台４２は摺動可能に取り付けられるので、原稿のサイズに合わせて補助原稿載置台４２を摺動させる。【選択図】　　　　図３
2004051243.tif 000002
【特許請求の範囲】
【請求項１】
原稿載置台と、該原稿載置台の下方に配設された原稿排出台とを備え、前記原稿載置台の原稿載置面に載置された原稿束から原稿を１枚ずつ分離して搬送し、読取済みの原稿を前記原稿排出台に排出する原稿読取装置において、前記原稿載置台は、前記原稿載置面の原稿搬送方向の寸法を調整可能になしてあることを特徴とする原稿読取装置。
【請求項２】
前記原稿載置台は、主原稿載置台と、該主原稿載置台に対して原稿搬送方向に摺動可能に取り付けられている補助原稿載置台とを備えることを特徴とする請求項１に記載の原稿読取装置。
【請求項３】
前記原稿載置面の原稿搬送方向の寸法が定型原稿サイズに対応する寸法となる位置で、前記補助原稿載置台を保持することが可能な保持手段をさらに備えることを特徴とする請求項２に記載の原稿読取装置。
【請求項４】
前記原稿載置台は、主原稿載置台と、該主原稿載置台に回動可能に取り付けられることにより前記主原稿載置台と重なることが可能な補助原稿載置台とを備えることを特徴とする請求項１に記載の原稿読取装置。
【請求項５】
前記補助原稿載置台が前記主原稿載置台と重なった状態における前記原稿載置面の原稿搬送方向の寸法が定型原稿サイズに対応する寸法となる位置に、前記補助原稿載置台が回動するための回動支点を有することを特徴とする請求項４に記載の原稿読取装置。
【発明の詳細な説明】
【０００１】
【発明の属する技術分野】
本発明は、複写機、ファクシミリ装置等に備えられる、自動原稿供給機構（ＡＤＦ：Ａｕｔｏ　Ｄｏｃｕｍｅｎｔ　Ｆｅｅｄｅｒ）から供給される原稿を読み取る原稿読取装置に関する。
【０００２】
【従来の技術】
複写機、ファクシミリ装置等に備えられる原稿読取装置おいて、ＡＤＦから供給される原稿を読み取るものが広く普及している。このＡＤＦは、原稿載置台と、原稿載置台の下方に配設された原稿排出台とを備えており、原稿載置台の原稿載置面に載置された原稿は、原稿画像を読み取るべく、１枚ずつ分離して搬送され、読取後、原稿排出台上に排出されて蓄積される。
【０００３】
【発明が解決しようとする課題】
しかしながら、上述した原稿読取装置においては、一般に、原稿載置台とその下方に配設された原稿排出台とが近接しているため、原稿排出台上に蓄積された読取済みの原稿をユーザが取り出す際、原稿載置台が邪魔になり、読取済みの原稿を取り出し難いという問題があった。
【０００４】
このような問題を解決するために、例えば、原稿載置台全体が回動自在に取り付けられたものが開発されているが、原稿載置台全体を回動させる作業がユーザにとって面倒である、又は、原稿載置台が回動自在であることをユーザが認識していない場合があり、この場合には原稿載置台が回動自在に取り付けられた効果が発揮されていない等の問題がある。
【０００５】
また、Ａ３サイズの原稿に対応している原稿読取装置においては、原稿載置台の原稿載置面もＡ３サイズに対応した寸法に形成されている。しかしながら、この原稿読取装置においてＡ３サイズよりも小さいＡ４サイズ等の原稿のみを使用するユーザにとっては、原稿載置面はＡ４サイズ等に対応した寸法であればよいので、原稿載置台のＡ４サイズ等よりも大きい部分は無駄であり、また、読取済みの原稿を取り出す際に邪魔である。
【０００６】
本発明は斯かる事情に鑑みてなされたものであって、その目的とするところは、原稿排出台の上方に配設されている原稿載置台は、原稿載置面の原稿搬送方向の寸法を調整すべくなしてあることにより、読取済みの原稿を原稿排出台から容易に取り出すことが可能な原稿読取装置を提供することにある。
【０００７】
【課題を解決するための手段】
第１発明に係る原稿読取装置は、原稿載置台と、該原稿載置台の下方に配設された原稿排出台とを備え、前記原稿載置台の原稿載置面に載置された原稿束から原稿を１枚ずつ分離して搬送し、読取済みの原稿を前記原稿排出台に排出する原稿読取装置において、前記原稿載置台は、前記原稿載置面の原稿搬送方向の寸法を調整可能になしてあることを特徴とする。
【０００８】
第１発明においては、原稿排出台の上方に配設されている原稿載置台が原稿載置面の原稿搬送方向の寸法を調整すべくなしてあることにより、比較的小さいサイズの原稿のみを使用する場合には、原稿載置面をそのサイズに対応した寸法に調整しておくことで、原稿排出台上に排出されて蓄積された読取済みの原稿をユーザが取り出す際に、原稿載置台が邪魔にならず、容易に原稿を取り出すことができる。また、原稿載置面の原稿搬送方向の寸法を調整することにより、比較的大きいサイズの原稿を載置することも可能であるので、様々なサイズの原稿に対応することができる。
【０００９】
第２発明に係る原稿読取装置は、第１発明において、前記原稿載置台は、主原稿載置台と、該主原稿載置台に対して原稿搬送方向に摺動可能に取り付けられている補助原稿載置台とを備えることを特徴とする。
【００１０】
第２発明においては、補助原稿載置台を摺動させることにより、原稿載置面の原稿搬送方向の寸法を調整することが可能である。よって、比較的小さいサイズの原稿のみを使用する場合には、補助原稿載置台を摺動させることで原稿載置面の原稿搬送方向の寸法を原稿のサイズに対応した寸法に調整しておくことにより、原稿載置台の下方に近接する原稿排出台上に排出されて蓄積された読取済みの原稿をユーザが取り出す際に原稿載置台が邪魔にならず、容易に原稿を取り出すことができる。
【００１１】
第３発明に係る原稿読取装置は、第２発明において、前記原稿載置面の原稿搬送方向の寸法が定型原稿サイズに対応する寸法となる位置で、前記補助原稿載置台を保持することが可能な保持手段をさらに備えることを特徴とする。
【００１２】
第３発明においては、前記原稿載置面の原稿搬送方向の寸法が定型原稿サイズに対応する寸法となる位置で前記補助原稿載置台を保持することが可能であるので、使用する定型原稿サイズに合わせて前記原稿載置面の原稿搬送方向の寸法の調整を容易に行うことができ、使い勝手がよい。
【００１３】
第４発明に係る原稿読取装置は、第１発明において、前記原稿載置台は、主原稿載置台と、該主原稿載置台に回動可能に取り付けられることにより前記主原稿載置台と重なることが可能な補助原稿載置台とを備えることを特徴とする。
【００１４】
第４発明においては、補助原稿載置台を回動させて主原稿載置台と重ねることにより、原稿載置面の原稿搬送方向の寸法を調整することが可能である。よって、比較的小さいサイズの原稿のみを使用する場合には、補助原稿載置台を主原稿載置台と重ねることで原稿載置面の原稿搬送方向の寸法を原稿のサイズに対応した寸法に調整しておくことにより、原稿排出台上に排出されて蓄積された読取済みの原稿をユーザが取り出す際に原稿載置台が邪魔にならず、容易に原稿を取り出すことができる。
【００１５】
第５発明に係る原稿読取装置は、第４発明において、前記補助原稿載置台が前記主原稿載置台と重なった状態における前記原稿載置面の原稿搬送方向の寸法が定型原稿サイズに対応する寸法となる位置に、前記補助原稿載置台が回動するための回動支点を有することを特徴とする。
【００１６】
第５発明においては、前記原稿載置面の原稿搬送方向の寸法が定型原稿サイズに対応する寸法となるように、回動支点を中心に前記補助原稿載置台を回動させて前記主原稿載置台と重ねることができるので、使用する定型原稿サイズに合わせて前記原稿載置面の原稿搬送方向の寸法の調整を容易に行うことができ、使い勝手がよい。
【００１７】
【発明の実施の形態】
以下、本発明をその実施の形態を示す図面に基づいて説明する。
実施の形態１
図１は、複写機、ファクシミリ装置等に備えられる、本発明に係る画像読取装置の斜視図であり、図２は、その側断面図である。この画像読取装置は、原稿読取部１と原稿給送部２とを備える。
【００１８】
原稿読取部１は、筐体１ａの上面に設けられ、その上面に原稿を載置するための透明な原稿載置板１１及び透光板１２と、筐体１ａ内に設けられ、原稿載置板１１上に載置された原稿又は透光板１２上を通過する原稿を光学的に読み取る原稿読取光学系３とを備える。
【００１９】
原稿読取光学系３は、原稿に光を照射する光源３１と、原稿からの反射光の光路を変更する３個のミラー３２、３３、３４と、ミラー３４からの光を収束させる集光レンズ３５と、集光レンズ３５を通して入射した光量に応じた電気信号を出力する撮像素子（ＣＣＤ）３６とを有する。
【００２０】
原稿給送部２は、原稿載置板１１上面に開閉自在に設けられ、原稿載置板１１に対して原稿を押圧する押さえ蓋２１と、押さえ蓋２１の上方に設けられ、読み取るための原稿束をその原稿載置面に載置する原稿載置台４と、透光板１２上面に設けられ、原稿載置台４の原稿載置面に載置された原稿を図中の矢符Ａにて示す方向へ搬送する原稿搬送部２２と、読取後に排出された読取済みの原稿を蓄積する原稿排出台２３とを備える。原稿排出台２３は、原稿載置台４の真下にあり、原稿載置台４の下方かつ原稿排出台２３の上方にある空間には、他の部材は実質的に存在しない。
【００２１】
原稿搬送部２２は、原稿載置台４の原稿載置面に載置された原稿束から原稿を１枚ずつ分離して取り込むための分離ローラ２２１と、分離された原稿の搬送方向を反転させるための複数の給送ローラ２２２、２２２…と、読取後の原稿を原稿排出台２３上に排出するための排出ローラ２２３とを備える。
なお、原稿給送部２は原稿載置板１１及び透光板１２の上面にて開閉回動可能に取り付けられている。
【００２２】
このような構成において、原稿載置板１１上に載置された静止原稿は、光源３１及びミラー３２、３３、３４を移動させながら原稿読取光学系３により読み取られる。また、原稿載置台４の原稿載置面に載置された複数の原稿は１枚ずつ分離して搬送され、透光板１２上を通過する際に静止状態にある原稿読取光学系３により読み取られる。
【００２３】
次に、原稿載置台４について図３を用いて説明する。
図３（ａ）は原稿載置台４の側面図であり、図３（ｂ）は図３（ａ）のｂ−ｂ線の断面図である。原稿載置台４は、主原稿載置台４１と、主原稿載置台４１に摺動可能に取り付けられた補助原稿載置台４２とを備える。
補助原稿載置台４２は平板状に形成されており、両側部の、原稿搬送方向の前側に、その先端部分がひと回り大きく形成された摺動凸部４２１、４２１を有している。一方、主原稿載置台４１は、その内部に補助原稿載置台４２の平板状部分を収容すべく、原稿搬送方向の後側に対応する側面が開放された略箱状に形成されており、その上面である原稿載置面は、一般的に最も使用頻度が高い定型サイズであるＡ４サイズの原稿が載置可能な寸法（Ａ４サイズとほぼ同じ寸法、又は、原稿搬送方向にやや短い寸法）となっている。また、主原稿載置台４１の両側面には、原稿搬送方向に延びる溝状の摺動孔４１１、４１１が設けられている。
【００２４】
主原稿載置台４１の摺動孔４１１、４１１に補助原稿載置台４２の摺動凸部４２１、４２１が挿通されることにより、補助原稿載置台４２は図中に白抜き矢符にて示す方向に摺動可能に取り付けられる。主原稿載置台４１に対して補助原稿載置台４２を摺動範囲における所定の位置で保持する保持手段が設けられている。この保持手段の構成は以下のとおりである。すなわち、主原稿載置台４１の摺動孔４１１、４１１の下側の縁の、原稿搬送方向の前端部と、中央部から原稿搬送方向の後側に寄った箇所と、原稿搬送方向の後端部とに、摺動凸部４２１、４２１が嵌合可能な凹部４１２、４１２、４１３、４１３、４１４、４１４（図中には各凹部の一方のみを図示）が設けられている。これにより、何れかの凹部に補助原稿載置台４２の摺動凸部４２１、４２１が嵌合することにより、摺動可能な補助原稿載置台４２の位置がその凹部に対応する位置で保持される。
【００２５】
図４は、摺動可能な補助原稿載置台４２が位置を保持された状態を示している。図４（ａ）は、摺動凸部４２１、４２１が夫々凹部４１４、４１４に嵌合することにより、補助原稿載置台４２の位置が保持された状態である。この状態において、主原稿載置台４１の上面と補助原稿載置台４２の上面とからなる原稿載置面の原稿搬送方向の寸法は、Ａ３サイズの原稿が載置可能な寸法となる。すなわち、図４（ａ）に示す状態では、原稿載置台４全体の原稿載置面の原稿搬送方向の寸法は、Ａ３サイズ（約４２ｃｍ）とほぼ同じ又はやや短くなっている。
図４（ａ）に示す状態から、補助原稿載置台４２を原稿搬送方向へ摺動させることにより、図４（ｂ）に示す状態となる。
【００２６】
図４（ｂ）は、摺動凸部４２１、４２１が夫々凹部４１３、４１３に嵌合することにより、補助原稿載置台４２の位置が保持された状態である。この状態においては、補助原稿載置台４２の略半分は主原稿載置台４１の内部に収容されており、主原稿載置台４１の上面と補助原稿載置台４２の非収容部分の上面とからなる原稿載置面の原稿搬送方向の寸法は、Ｂ４サイズの原稿が載置可能な寸法となる。すなわち、図４（ｂ）に示す状態では、原稿載置台４全体の原稿載置面の原稿搬送方向の寸法は、Ｂ４サイズ（約３６．５ｃｍ）とほぼ同じ又はやや短くなっている。
図４（ｂ）に示す状態から、補助原稿載置台４２を原稿搬送方向へさらに摺動させることにより、図４（ｃ）に示す状態となる。
【００２７】
図４（ｃ）は、摺動凸部４２１、４２１が夫々凹部４１２、４１２に嵌合することにより、補助原稿載置台４２の位置が保持された状態である。この状態においては、補助原稿載置台４２のほぼ全体が主原稿載置台４１の内側に収容されており、原稿載置面の寸法は主原稿載置台４１の上面の寸法とほぼ等しく、Ａ４サイズの原稿が載置可能な寸法である。すなわち、図４（ｃ）に示す状態では、原稿載置台４全体の原稿載置面の原稿搬送方向の寸法は、Ａ４サイズ（約３０ｃｍ）とほぼ同じ又はやや短くなっている。
【００２８】
上述した構成により、本発明にかかる画像読取装置は、補助原稿載置台４２を摺動させて摺動凸部４２１、４２１を凹部４１２、４１２、４１３、４１３、４１４、４１４のうちの適宜の凹部に嵌合することにより、原稿載置面の原稿搬送方向の寸法を原稿のサイズに合わせて調整することができる。特に、上述したように、原稿載置台４全体の原稿載置面の原稿搬送方向の寸法が定型原稿サイズとほぼ同じ又は定型原稿サイズよりもやや短くなるように、主原稿載置台４１に対して補助原稿載置台４２を摺動範囲における複数の位置で保持可能な保持手段を備えるため、どの定型サイズの原稿を使用する場合であっても使い勝手がよく、また、原稿排出台２３上の読取済み原稿を容易に取り出すことができる構成となっている。
【００２９】
実施の形態２
図５は、本発明の実施の形態２に係る画像読取装置の斜視図であり、図６は、図５に示した原稿載置台の分解斜視図である。原稿載置台５は、主原稿載置台５１と補助原稿載置台５２とを備える。
実施の形態１の画像読取装置は、補助原稿載置台４２を摺動させることにより原稿載置台４の原稿載置面の原稿搬送方向の寸法を調整可能としてあるが、実施の形態２の画像読取装置は、補助原稿載置台５２を回動させて主原稿載置台５１と重ねることにより、すなわち、主原稿載置台５１に対して補助原稿載置台５２を折り畳むことにより、原稿載置台５の原稿載置面の原稿搬送方向の寸法を調整可能としてある。なお、原稿載置台５を除く実施の形態２の画像読取装置の構成は、実施の形態１の画像読取装置の構成と同様である。
【００３０】
主原稿載置台５１は、Ａ４サイズの原稿とほぼ同じ寸法を有する平板状に形成されており、原稿搬送方向の後側に対応する側面の両端部に、嵌合孔５１２、５１２を有する回動凸部５１１、５１１が設けられている。一方、補助原稿載置台５２は、主原稿載置台５１よりも原稿搬送方向の寸法が若干小さい略平板状に形成されており、その原稿搬送方向の前側の中央部分に、延設された延設部５２１を有している。また、延設部５２１の上面には、原稿搬送方向に対して垂直に延びる管状の回動凸部５２２を備えており、回動凸部５２２の両端には、嵌合孔５１２、５１２の寸法に対応する嵌合凸部５２３、５２３が設けられている。
補助原稿載置台５２の嵌合凸部５２３、５２３が、主原稿載置台５１の嵌合孔５１２、５１２に嵌合されることにより、補助原稿載置台５２は主原稿載置台５１に取り付けられ、回動凸部５１１、５１１及び回動凸部５２２を回動支点として回動することができる。
【００３１】
図７は、回動可能な補助原稿載置台５２の位置が保持された状態を示している。図７（ａ）は、補助原稿載置台５２の延設部５２１の上面が主原稿載置台５１の下面に当接することにより、補助原稿載置台５２の位置が保持された状態である。この状態においては、主原稿載置台５１の上面と補助原稿載置台５２の上面とからなる原稿載置面の原稿搬送方向の寸法は、Ａ３サイズの原稿が載置可能な寸法（Ａ３サイズとほぼ同じ又はやや短い寸法）となる。
図７（ａ）に示す状態から補助原稿載置台５２を、回動凸部５１１、５１１及び回動凸部５２２を中心に白抜き矢符にて示す方向に回動させることより図７（ｂ）に示す状態となる。
【００３２】
図７（ｂ）は、回動させた補助原稿載置台５２が主原稿載置台５１上に重なることによりその位置が保持された状態である。すなわち、図７（ｂ）は、主原稿載置台５１に対して補助原稿載置台５２を完全に折り畳んだ状態である。この状態においては、補助原稿載置台５２の上面（図７（ａ）に示した折り畳む前の状態では下面）と主原稿載置台５１の補助原稿載置台５２と重ならない部分の上面とからなる原稿載置面の原稿搬送方向の寸法は主原稿載置台５１とほぼ等しく、Ａ４サイズの原稿が載置可能な寸法（Ａ４サイズとほぼ同じ又はやや短い寸法）である。
【００３３】
上述した構成により、本発明の実施の形態２に係る画像読取装置は、補助原稿載置台５２を回動させることにより、原稿載置台５の原稿搬送方向の寸法を原稿のサイズに合わせて調整することができる。本実施の形態においても、補助原稿載置台５２を折り畳んだ状態の原稿載置台５の原稿載置面の原稿搬送方向の寸法が、定型原稿サイズとほぼ同じ又は定型原稿サイズよりもやや短くなっているため、どの定型サイズの原稿を使用する場合であっても使い勝手がよく、また、原稿排出台２３上の読取済み原稿を容易に取り出すことができる構成となっている。
【００３４】
なお、本実施の形態においては、原稿載置台５の原稿載置面の原稿搬送方向の寸法を、Ａ３サイズ及びＡ４サイズの２段階に調整可能としたが、補助原稿載置台５２の原稿搬送方向の寸法を若干小さくすると共に、補助原稿載置台５２と同様の補助原稿載置台をさらに補助原稿載置台５２の原稿搬送方向の後側に設けるようにしてもよい。これにより、原稿載置面の原稿搬送方向の寸法が、Ａ３サイズ、Ｂ４サイズ及びＡ４サイズの３段階に調整することができる。
【００３５】
【発明の効果】
第１発明によれば、原稿排出台の上方に配設されている原稿載置台が原稿載置面の原稿搬送方向の寸法を調整すべくなしてあることにより、比較的小さいサイズの原稿のみを使用する場合には、原稿載置面をそのサイズに対応した寸法に調整しておくことで、原稿排出台上に排出されて蓄積された読取済みの原稿をユーザが取り出す際に、原稿載置台が邪魔にならず、容易に原稿を取り出すことができる。また、原稿載置面の原稿搬送方向の寸法を調整することにより、比較的大きいサイズの原稿を載置することも可能であるので、様々なサイズの原稿に対応することができる。
【００３６】
第２発明によれば、補助原稿載置台を摺動させることにより、原稿載置面の原稿搬送方向の寸法を調整することが可能である。よって、比較的小さいサイズの原稿のみを使用する場合には、補助原稿載置台を摺動させることで原稿載置面の原稿搬送方向の寸法を原稿のサイズに対応した寸法に調整しておくことにより、原稿載置台の下方に近接する原稿排出台上に排出されて蓄積された読取済みの原稿をユーザが取り出す際に原稿載置台が邪魔にならず、容易に原稿を取り出すことができる。
【００３７】
第３発明によれば、前記原稿載置面の原稿搬送方向の寸法が定型原稿サイズに対応する寸法となる位置で前記補助原稿載置台を保持することが可能であるので、使用する定型原稿サイズに合わせて前記原稿載置面の原稿搬送方向の寸法の調整を容易に行うことができ、使い勝手がよい。
【００３８】
第４発明によれば、補助原稿載置台を回動させて主原稿載置台と重ねることにより、原稿載置面の原稿搬送方向の寸法を調整することが可能である。よって、比較的小さいサイズの原稿のみを使用する場合には、補助原稿載置台を主原稿載置台と重ねることで原稿載置面の原稿搬送方向の寸法を原稿のサイズに対応した寸法に調整しておくことにより、原稿排出台上に排出されて蓄積された読取済みの原稿をユーザが取り出す際に原稿載置台が邪魔にならず、容易に原稿を取り出すことができる。
【００３９】
第５発明によれば、前記原稿載置面の原稿搬送方向の寸法が定型原稿サイズに対応する寸法となるように、回動支点を中心に前記補助原稿載置台を回動させて前記主原稿載置台と重ねることができるので、使用する定型原稿サイズに合わせて前記原稿載置面の原稿搬送方向の寸法の調整を容易に行うことができ、使い勝手がよい。
【図面の簡単な説明】
【図１】本発明に係る画像読取装置の斜視図である。
【図２】本発明に係る画像読取装置の側断面図である。
【図３】本発明に係る画像読取装置が備える原稿載置台の（ａ）側面図及び（ｂ）断面図である。
【図４】本発明に係る画像読取装置が備える原稿載置台において、摺動可能な補助原稿載置台の位置が保持された状態を示す斜視図である。
【図５】本発明の実施の形態２に係る画像読取装置の斜視図である。
【図６】本発明の実施の形態２に係る画像読取装置が備える原稿載置台の分解斜視図である。
【図７】本発明の実施の形態２に係る画像読取装置が備える原稿載置台において、回動可能な補助原稿載置台の位置が保持された状態を示す斜視図である。
【符号の説明】
１　原稿読取部
２　原稿給送部
２２　原稿搬送部
２３　原稿排出台
４、５　原稿載置台
４１、５１　主原稿載置台
４２、５２　補助原稿載置台
４１１　摺動孔
４２１　摺動凸部
５１１、５２２　回動凸部
５１２　嵌合孔
５２３　嵌合凸部
【図１】
2004051243.tif 000003
【図２】
2004051243.tif 000004
【図３】
2004051243.tif 000005
【図４】
2004051243.tif 000006
【図５】
2004051243.tif 000007
【図６】
2004051243.tif 000008
【図７】
2004051243.tif 000009